(57)【特許請求の範囲】
【請求項１】
光ファイバの切断や、光ファイバを保持したまま移動されることで光コネクタに光ファイバを挿入して光ファイバ端末に光コネクタを取り付ける作業に用いられるファイバホルダであって、
光ファイバ（１）を開放可能に保持する２つのホルダ本体（３ａ，３ｂ）が分割して設けられ、一方のホルダ本体（３ａ）に光ファイバを固定するクランプ保持部（１９）が設けられ、他方のホルダ本体（３ｂ）に光ファイバの長手方向への移動を許容しつつ保持するガイド保持部（２１）が設けられ、２つのホルダ本体の間に両者を連結するガイド部材（４）が設けられ、このガイド部材を介して２つのホルダ本体が各々の保持部を同一線上に位置させた状態で接近離反可能に構成されており、一方のホルダ本体のクランプ保持部と他方のホルダ本体のガイド保持部とに光ファイバを保持した状態で、他方のホルダ本体を離反させることで、前記一方のホルダ本体のクランプ保持部によって押さえられた光ファイバの前記他方のホルダ本体からの突出長を短くでき、
一方のホルダ本体のクランプ保持部と他方のホルダ本体のガイド保持部とに光ファイバを保持した状態で、他方のホルダ本体を離反させて、前記他方のホルダ本体からの光ファイバの突出長を短くする際に、前記光ファイバが他方のホルダ本体のガイド保持部によってしごかれるようにしてガイドされることで、曲がりぐせを矯正できるようになっていることを特徴とするファイバホルダ（２）。
【発明の詳細な説明】
【０００１】
【発明の属する技術分野】
この発明は、例えば、光ファイバを保持するために使用されるファイバホルダに係るものであり、特に、光ファイバの曲がりぐせを矯正することができるファイバホルダに関するものである。
【０００２】
【従来の技術】
従来から、光通信等において光ファイバ心線が広く用いられている。この光ファイバ心線はガラス製等の裸ファイバを被覆材で覆ったもので、端末部に光コネクタを取り付けたり、２本の光ファイバ心線を結合したりする等、様々な形態に加工して使用されている。
【０００３】
【発明が解決しようとする課題】
この種の光ファイバ心線を切断したり、あるいは、光ファイバ心線端末に光コネクタ等の光部品を取り付ける等の加工を施す場合には、この光ファイバ心線をファイバホルダに保持し、このファイバホルダをカッターにセットして光ファイバ心線の切断作業を行い、ファイバホルダごと移動させることによって光部品の所定位置に挿入するようにしている。
このような作業を行う場合に、光ファイバ心線が曲がりぐせのない真っ直ぐな状態であるときには、上記作業は何ら問題なく行えるが、光ファイバ心線が曲がっているときには、光ファイバ心線をファイバホルダに保持する前にいちいち光ファイバ心線の曲がりぐせを修正する必要がある。したがって、作業が面倒であり作業効率が悪く、作業時間が多くかかるという問題がある。
【０００４】
現状では光ファイバ心線がドラムに巻付けられて納入されたり、あるいは、被覆材の内部応力が不均一であるため自然に曲がりぐせが生じている等様々な理由から上記のような問題が不可避的に生ずるのである。
そこで、この発明は光ファイバ心線等の光ファイバに曲がりぐせがあっても、この光ファイバの曲がりぐせを矯正することができるファイバホルダを提供するものである。
【０００５】
【課題を解決するための手段】
この発明は、前記課題を解決するために、光ファイバの切断や、光ファイバを保持したまま移動されることで光コネクタに光ファイバを挿入して光ファイバ端末に光コネクタを取り付ける作業に用いられるファイバホルダであって、光ファイバを開放可能に保持する２つのホルダ本体が分割して設けられ、一方のホルダ本体に光ファイバを固定するクランプ保持部が設けられ、他方のホルダ本体に光ファイバの長手方向への移動を許容しつつ保持するガイド保持部が設けられ、２つのホルダ本体の間に両者を連結するガイド部材が設けられ、このガイド部材を介して２つのホルダ本体が各々の保持部を同一線上に位置させた状態で接近離反可能に構成されており、一方のホルダ本体のクランプ保持部と他方のホルダ本体のガイド保持部とに光ファイバを保持した状態で、他方のホルダ本体を離反させることで、前記一方のホルダ本体のクランプ保持部によって押さえられた光ファイバの前記他方のホルダ本体からの突出長を短くでき、一方のホルダ本体のクランプ保持部と他方のホルダ本体のガイド保持部とに光ファイバを保持した状態で、他方のホルダ本体を離反させて、前記他方のホルダ本体からの光ファイバの突出長を短くする際に、前記光ファイバが他方のホルダ本体のガイド保持部によってしごかれるようにしてガイドされることで、曲がりぐせを矯正できるようになっていることを特徴とするファイバホルダを前記課題の解決手段とした。
【０００６】
したがって、一方のホルダ本体のクランプ保持部と他方のホルダ本体のガイド保持部とに光ファイバを保持した状態で、他方のホルダ本体を離反させれば、両ホルダ本体を連結しているガイド部材によって、各保持部が同一線上に位置したままの状態で、一方のホルダ本体のクランプ保持部によって押さえられた光ファイバは他方のホルダ本体からの突出長が小さくなり、目的の挿入位置等に対する位置決めが容易になる。また、この時、他方のホルダ本体のガイド保持部によって、光ファイバがしごかれるようにしてガイドされ、これにより曲がりぐせは矯正される。
【０００７】
【発明の実施の形態】
以下、この発明のファイバホルダの実施の形態を図１から図９を参照して説明する。
図１、図２に示すのは、光ファイバとしての光ファイバ心線１をクランプ保持するファイバホルダ２である。このファイバホルダ２は、光ファイバ心線１を切断したり、光ファイバ心線１に光コネクタを取り付けたり、光ファイバ心線１同志を接合したりする場合等に、光ファイバ心線１の端末付近を開放可能に保持するためのものである。
【０００８】
ファイバホルダ２は、一方のホルダ本体３ａと他方のホルダ本体３ｂとの２つに分割構成され、これら２つのホルダ本体３ａ，３ｂが、図１に示すように、ガイド部材４によって連結され互いに接近離反可能に構成されている。
ここで、各ホルダ本体３ａ，３ｂは基本的に同一形状のものであるので、まず、一方のホルダ本体３ａ（図１〜図６において左側のホルダ本体）について基本的な構造を説明する。
【０００９】
図３に示すように、ホルダ本体３ａは、樹脂製のベース５とこのベース５に金属製のピン６によって開閉可能に支持された樹脂製の蓋７とを備えている。
ベース５には、図７、図８に示すように、ベース５の上面よりもやや下がった位置に、ピン６に沿う方向、すなわち、光ファイバ心線１に沿う方向に、断面Ｖ字状の溝８を有する受部９が凹設されている。
この受部９は、図３に示すように、一端はベース５の一側端と同一位置に、他端はベース５の他側端からやや突出しており、この突出部分においては、図６に示すように、上記溝８には、端部に向かうにしたがって拡大形成された受入部８ａが形成されている。具体的には、溝８の底部および側縁部がともに末広がりに形成されているのである。
【００１０】
ベース５の上部には、上記受部９を境にして一方に蓋７を取り付けるためのピン６が挿通される切欠部１０が設けられ、受部９を境にして他方にマグネット１１が面一で埋設されている。
ベース５の下部には、図４、図５に示すように、光ファイバ心線１に沿う方向に金属製のガイド部材４が摺動可能に挿通されるガイド孔１２が形成されている。また、ベース５の下面には、ガイド部材４の両端下面に取り付けられたストッパピン１４を受け入れる長孔１３が設けられている。この長孔１３によってガイド部材４の移動ストロークが規制されるようになっている。
【００１１】
また、ベース５の底部には光ファイバ心線１に沿う側縁にスライド部１５が設けられ、ベース５自体を図示しない光ファイバ加工工具のホルダセット台の基準面にセットできるようになっている。
尚、上記ベース５は、上記ガイド部材４をガイド孔１２に装着するために上下に分割した後、両者を接着して製造されているため、図１、図２、図７に示すように、境界部分に分割線が生じている。
【００１２】
蓋７には、図３に示すように、前記ホルダ本体３ａの切欠部１０に受け入れらてピン６に支持されるヒンジ部１６が設けられ、この蓋７の開閉端側には上記ホルダ本体３ａのマグネット１１に対応する位置に金属のプレート１７が埋設されている。そして、プレート１７とヒンジ部との間には上記ホルダ本体３ａの受部９に嵌合するゴム製の押さえプレート１８が下方に突出して状態で取り付けられている。
この蓋７の押さえプレート１８とホルダ本体３ａの受部９とで、光ファイバ心線１を固定するクランプ保持部１９が構成されている。
【００１３】
このように構成された一方のホルダ本体３ａに対して他方のホルダ本体３ｂ（図１〜図６において右側のホルダ本体）もほぼ同様の構成を有しているが、このホルダ本体３ｂは、一方のホルダ本体３ａに対して、ベース５に関してはマグネット１１および受部９の突出部分が、蓋７に関しては形状が各々勝手反対に形成されている。
【００１４】
ここで、ホルダ本体３ｂの蓋７にはホルダ本体３ａの押さえプレート１８よりも薄肉の押さえプレート２０が取り付けられている点が大きく異なっている。
すなわち、図８、図９に示すように、ホルダ本体３ａの押さえプレート１８が、受部９に対して大きな押さえ代となるように肉厚を大きく設定しクランプ機能を付与してあるのに対して、ホルダ本体３ｂの押さえプレート２０は薄肉に形成して、ホルダ本体３ｂの受部９に対して押さえ代を小さくし、押さえプレート２０と受部９とで光ファイバ心線１の長手方向への相対的な移動を許容しつつ保持するガイド機能をもたせたクランプ保持部２１として構成されているのである。
【００１５】
このように構成された２つのホルダ本体３ａ，３ｂが上記ガイド部材４を介して連結され、このガイド部材４が各ガイド孔１２に摺動可能に挿入されていることで、これら２つのホルダ本体３ａ，３ｂはクランプ保持部１９とガイド保持部２１とを同一線上に位置させた状態で接近離反可能に構成されている。
【００１６】
以下、この発明の実施の形態の作用および効果を説明する。
図３に示すように、ホルダ本体３ａとホルダ本体３ｂとを当接させた状態で各々の蓋７を開く。次に、光ファイバ心線１を各受部９の溝８にセットし、図２に示すように、この状態で各蓋７を閉じる。
このとき、図８に示すように、一方のホルダ本体３ａ側では受部９の溝８にセットされた光ファイバ心線１は蓋７の押さえプレート１８によって押圧され、ずれることなく確実にクランプ保持部１９に固定される。一方、図９に示すように、他方のホルダ本体３ｂ側では、受部９の溝８にセットされた光ファイバ心線１は蓋７の押さえプレート２０によって押圧されるものの、押さえ代が少なく光ファイバ心線１の長手方向における相対的な移動を許容された状態でガイド保持部２１に保持される。
【００１７】
このとき、光ファイバ心線１に曲がりぐせがない場合には、そのままの状態、すなわち、図２に示すような両ホルダ本体３ａ，３ｂを当接させたままの状態で、光ファイバ心線１に対して、光コネクタへの挿入等の加工を行う。
一方、保持された光ファイバ心線１に曲がりぐせがある場合には、図２に示す状態でホルダ本体３ａとホルダ本体３ｂを各々把持して、他方のホルダ本体３ｂを引き、必要に応じて他方のホルダ本体３ｂを一方のホルダ本体３ａに対して接近離反させれば、一方のホルダ本体３ａのクランプ保持部１９に固定された光ファイバ心線１は他方のホルダ本体３ｂからの突出長が小さくなり、曲がり癖による影響を少なくすることができ、所定の挿入位置に対する位置決めが容易になる。また、この時、ガイド保持部２１によってしごかれることとなるため、光ファイバ心線１の曲がりぐせは矯正される。
【００１８】
ここで、前記ホルダ本体３ａ，３ｂとりわけホルダ本体３ｂの受部９は、ベース５の他側端から突出する突出部分においては、端部に向かうにしたがって拡大形成された受入部８ａとして形成されているため、上記ホルダ本体３ａ，３ｂの接近離反動作において相対的に受入部８ａに対して摺動する光ファイバ心線１を損傷させることなくガイドできる。
また、光ファイバ心線１は、ゴム製の押さえプレート１８，２０と樹脂製の受部９とで構成されたクランプ保持部１９とガイド保持部２１とによって保持されているため、ここに金属製の部品を使用した場合に比較して材質的にも光ファイバ心線１に与える損傷を最小限に押さえることができる。
【００１９】
したがって、図２に示すように、例えば、光ファイバ心線１の端末の曲がりぐせのある部分Ｍを、他方のホルダ本体３ｂ側にくるように光ファイバ心線１をセットすれば、ファイバホルダ２にセットしたまま、光ファイバ心線１の曲がりぐせを矯正し、次に行われる光ファイバ心線１に対する光コネクタの取り付け等の加工を容易なものとすることができる。
【００２０】
その結果、従来のように光ファイバ心線１をファイバホルダ２に保持する前にいちいち光ファイバ心線１の曲がりぐせを修正する必要がなくなり、トータルとしての作業効率が高まり、作業時間を短縮できる。
このように、光ファイバ心線１のガイド機能とクランプ機能とを分割構成した２つのホルダ本体３ａ，３ｂによって、効率的に光ファイバ心線１の曲がりぐせを矯正するのである。
【００２１】
尚、この発明は上記実施の態様に限られるものではなく、例えば、ホルダ本体３ａ，３ｂの蓋７に金属のプレート１７を設ける代わりに、蓋７自体を金属製にしてもマグネット１１に対する吸着機能が損なわれることはない。また、各部の材質は上記ガイド機能とクランプ機能等を損なわない限り自由に採用できる。
また、本発明が適用される光ファイバ心線としては、単心、多心のいずれも採用可能である。また、光ファイバ心線に限定されず、光ファイバコード等の各種光ファイバも採用可能である。
【００２２】
【発明の効果】
以上、説明したように、この発明によれば、一方のホルダ本体のクランプ保持部と他方のホルダ本体のガイド保持部とに光ファイバを保持した状態で、他方のホルダ本体を離反させれば、両ホルダ本体を連結しているガイド部材によって、各保持部が同一線上に位置したままの状態で、一方ホルダ本体のクランプ保持部によって押さえられた光ファイバは、他方のホルダ本体からの突出長が短くなり、曲がり癖が存在しても、目的の加工位置等に対する位置決めが容易になる。また、この時、光ファイバは、他方のホルダ本体のガイド保持部によってしごかれるようにしてガイドされるため、光ファイバに曲がりぐせがあっても、この曲がりぐせを矯正することができる効果がある。
【００２３】
その結果、従来のように光ファイバをファイバホルダに保持する前にいちいち光ファイバの曲がりぐせを修正する必要がなくなり、ファイバホルダに保持したままで光ファイバの曲がりぐせを矯正できるため作業効率が高まり、作業時間を短縮できる効果がある。
【図面の簡単な説明】
【図１】  この発明の実施の形態の離反状態を示す斜視図である。
【図２】  この発明の実施の形態の接近状態を示す斜視図である。
【図３】  この発明の実施の形態の蓋開放状態を示す平面図である。
【図４】  この発明の実施の形態の蓋閉鎖状態を示す裏面図である。
【図５】  この発明の実施の形態の離反状態を示す裏面図である。
【図６】  ガイド部材と蓋を省略した図２のＡ−Ａ線に沿う断面図である。
【図７】  この発明の実施の形態のホルダ本体の蓋開閉状況を示す側面図である。
【図８】  この発明の実施の形態の一方のホルダ本体の側面図である。
【図９】  この発明の実施の形態の他方のホルダ本体の側面図である。
【符号の説明】
１…光ファイバ心線（光ファイバ）、２…ファイバホルダ、３ａ…一方のホルダ本体、３ｂ…他方のホルダ本体、４…ガイド部材、１９…クランプ保持部、２１…ガイド保持部。
【図１】
0003652501.tif 000002
【図２】
0003652501.tif 000003
【図３】
0003652501.tif 000004
【図４】
0003652501.tif 000005
【図５】
0003652501.tif 000006
【図６】
0003652501.tif 000007
【図７】
0003652501.tif 000008
【図８】
0003652501.tif 000009
【図９】
0003652501.tif 000010